(57)【要約】      （修正有）【課題】２色の表示に限定し、コード化された模様のチップにより表示物を提供する。【解決手段】文字、イラストを使った表示を実現する場合その表示物を２値（色）のドット絵として表現する。表現されたドット絵を単位ドットごとに四角く区切る。（４ドット、６ドット、８ドット等）。区切った枠内の模様はドット数ごとにその種類（コード化種類）が限られる。あらかじめそのコード化種類ごとをチップ化しておき、簡単に取り付けられる基盤上に取り付けることで、元の絵の表示を実現する。チップの大きさは自由で、大きい表示物、小さい表示物が容易に製作でき、チップはその表面が２色でコード化された（１ドット以外）反射型のものと、光りを透過させるもの透過させなものを組み合わせた光り透過型チップがある。【選択図】図１
2019028415.tif 000002
【特許請求の範囲】
【請求項１】
文字、イラストをドット絵として表示するのに、あらかじめコード化したチップを使用する。
【請求項２】
色反射を利用するものと透過光を利用する表示及び両者を組み合わせた表示用チップ。
【請求項３】
比較的大きいチップの表面にコードがい印刷されたもの
【請求項４】
比較的小さい人手での操作の困難なもの
【請求項５】
比較的大きいものでユーザーがチップを製作できるためのツール
【請求項６】
比較的小さいものでユーザーがチップを製作できるためのツール
【発明の詳細な説明】
【技術分野】
【０００１】
本発明は、屋内屋外における表示に関わるものである。
【背景技術】
【０００２】
最近屋内屋外の表示の分野では印刷技術の向上、新しい電子表示物が登場しその数は著しくふえている。
しかし案内、説明分野に限ってもまだまだ表示すべきものの数は不足している。簡単に、安く作る手法がまだ不足しているからである。
【先行技術文献】
【特許文献】
【０００３】
【特許文献１】特表2002-530906
【非特許文献】
【０００４】
【非特許文献１】特開2004-274689    特開2004-201872    特開2001-202020    特開2002-25389
【発明の概要】
【発明が解決しようとする課題】
【０００５】
２色の表示に限定し、コード化された模様のチップにより表示物を簡単に安価で作成する。
【課題を解決するための手段】
【０００６】
表示しようとする絵（文字、イラスト）をドット絵として表現する。（専用ソフト使用）
ドット絵を一定の表示単位の四角形に仕切る。（１ドット、２ドット、４ドット、６ドット、及び８ドットの単位）。目的とする表示操作がしやすいドット数に決定する。
１ドットの場合は多種類、２ドットの場合は４種類、４ドットの場合は１６種類、６ドット場合は６４種類８ドットの場合は２５６種類のコード（絵柄）となる。
各コード（絵柄）を四角柱の頭部に印刷或いは他の手法で表現する。この角柱をチップと呼ぶ。
チップは盤上に簡単に取り付けられる構造とする。或いはチップどうしで固定可能とするものもある。角柱の下部は取り付け方法により種々の形態となる。
このコード化された模様のチップをドット絵の位置に配置することで元の絵の表示を実現する。
【０００７】
チップのコード（絵柄）は正方形あるいは円形により表現される。図４、図５
絵柄の単位の正方形及び円形の大きさは自由に設定可能（０．２５ｍｍ〜）でこれにより元の絵を拡大縮小表示することができる。
チップの素材には色々のものが使用できる。
プラスティックの表面に印刷されたもの。日常使用する丸棒その他安価な生活使用雑貨を貼り合わせツールでかためたものが使用できる。
チップは目的とする表示効果により、反射型と光透過型の２種類がある。
【０００８】
反射型はチップのコード（絵柄）を印刷あるいは色づけして使用する。
光透過型はグラスファイバーあるいは穴のあいた丸棒を使用し裏側からの光を透過させるかさせないかで２色のコード（絵柄）を作る。
【０００９】
チップ種類
・小さいものは０．２５Φ〜１．５ｍｍΦの丸棒を使用し２色でコード化したものをＵＶレジンで固めて接着し書く棒のチップとする。
光り透過型は０．２５Φ〜１．５ｍｍΦのグラスファイバーを使用し、光を透過させない部分は短く切断するとかプラスティック棒を使用するとかの処理を行う。
・１．５Φより大きいものは基本的に表面をコード印刷した角柱のチップとなる。
・ユーザー作成チップ
チップはユーザーが作れる形のものもある。小さいものは作業上そのまま組み立てるのは困難な作業であるため、組み立て用ツールを用意する。おおきいものは基本的に接着により作成するが、これを容易に行える組み立て用ツールを用意する。
【００１０】
ユーザーが作成するチップについては
・用意された丸棒を接着しチップとするもの
・日常生活に存在する材料を使用すえう物がある。
・日常生活で存在するものとしては、爪楊枝、ストロー、紙カップあるいは紙パック（牛乳、ジュース類に使用されている）等がある。
・これらの材料に色づけしすきまなく接着するが、チップを作る台の部分を用意する。図９
・紙コップ、紙パック等には挿入取り付けするだけで表示面が見られる台を用意する。
【発明の効果】
【００１１】
ドット絵化された、文字イラストを簡単に拡大縮小して表示できる。
拡大縮小するための微細なドットから大きなドットまで自由に作成できる。
日常使用する素材を使用して安価に簡単にチップを自作できる。
街中での各種表示、イベントでの効果的表示など展開が多種にわたって行える。
【図面の簡単な説明】
【００１２】
【図１】例のひとつとして”あ”という文字を表示する場合を説明するものである。文字”あ”を縦横３２ドットで表示するものとし、３２分割の区切りをする。表示する枠を「１」とし、表示しない枠を「０」とする。８ドットのコードチップで表示するため、８ドットづつ枠で囲む。各枠内に、用意されたコードチップを置く。この作業のための図である。
【図２】文字"あ”を表示するためのチップの例。丸棒を８個並べて８ドットを構成。２色で「１」、「０」を判別できるよう荷している。下面部にはチップ取り付け用の丸棒が２個ある。
【図３】チップ取り付け用の基盤である。１６個＊８個のチップを取り付けるようになっている。
【図４】１ドットの構成する模様に丸（円形）を使用したものである。日常使用する丸棒を利用する場合は色づけしたものを接着して使用する。接着用にチップ構成となる材料（図１６）を使用する。大きいものはプラスティックの表面にコードを色づけしたものを使用する。小さいものは色わけされた丸棒を専用挿入装置（図１２）を使用して枠に設置UV レジンによる固定（図１１）をする。
【図５】１ドットの構成する模様に角（正方形）を使用したものである。プラスティックの表面にコードを色づけしたものを使用する。
【図６】１ｍｍ以下の小さい丸棒を使用してチップを作る場合UVレジン用の枠を作る。そのためのツールである。
【図７】１ｍｍ以下の小さい丸棒を使用してチップを作る場合UVレジン用の枠を作る。これもそのためのツールである。
【図８】１ｍｍ以下の丸棒で作成する場合の例である。透明UV レジンで丸棒が固定される。
【図９】日常に存在する丸棒を使用する場合のチップ作成図である。一定の長さに切りそろえた丸棒を色付けし接着麺にのり付けして作成する。
【発明を実施するための形態】
【００１３】
１．  表現しようとする絵（文字、イラスト）をドット絵で表現するする。
２．  操作のしやすいビット構成で１．で作成したドット絵を分割する。
３．  分割した絵で使用する全コードのチップを用意する。
４．  用意したチップを取り付ける取り付け穴があけられた基盤を用意する。
３．  分割した絵のそれぞれに配置するチップのコードを確認記録し、コードチップを取り付ける。
【実施例】
【００１４】
文字”あ”を縦横３２ビットのドット絵で表示する場合について説明する。
・ドット化文字と分割およびチップコード表が図１である。
・８X16 個のコードチップを取り付ける基盤を用意する。図３
・使用するチップとして表面印刷されたものを必要種類用意する。図４  図５
・分割された枠の各コードの印刷されたチップを基盤に取り付ける。
【産業上の利用可能性】
【００１５】
作りやすく、日常使用素材から作れる点から
個人使用の装飾品
個人宅の各種案内表示（表札、町名表示園芸品の名前表示）
自治体或いは公共機関での町名ほかの案内表示
観光客向けの多言語案内表示
各種学校での表示教材及びおもちゃ作り
精密な物も簡単に作れることから
個人使用の装飾品
自治体或いは公共機関での精密を要する案内表示
観光客向けの精密を要する多言語案内表示
透過光を利用する物からは  
精密装飾品
各種ＬＥＤ表示にかぶせた使用で光りの細分化表示
周囲の光源を利用した表示機
各種警戒、注意表示機
等あらゆる分野で表示機として利用可能である。
【符号の説明】
【００１６】
１    文字”あ”の縦横３２ドット＊３２ドット表現
2    ８ドット分割の各枠の１６進値表現コード
3    丸棒によるコードチップ各ドットの構成図
4    チップの基盤部。取り付け用挿入棒が下部にある
5    文字”あ"を表示するためのチップ取り付け基盤
6    チップ取り付け用挿入穴
7    丸棒模様のチップ「０」表現
8    丸棒模様のチップ「１」表現
9    角棒模様のチップ「０」表現
10    角棒模様のチップ「１」表現
11    極細丸棒チップ製作のためのＵＶレジン固定用シリコン型枠作成ツール
12    極細丸棒チップ挿入のための作業用ツール
13    ＵＶレジン固定用シリコン型枠ツール
14    極細丸棒をＵＶレジンで固めたチップ
15    極細丸棒。光ファイバー、プラスティック棒等
16    日常品によるチップ製作のための基盤
17    日常品によるチップ製作のため丸棒素材（ストロー、爪楊枝紙パック等）
１８    日常品によるチップ製作のための基盤、のり付け部分
【図１】
2019028415.tif 000003
【図２】
2019028415.tif 000004
【図３】
2019028415.tif 000005
【図４】
2019028415.tif 000006
【図５】
2019028415.tif 000007
【図６】
2019028415.tif 000008
【図７】
2019028415.tif 000009
【図８】
2019028415.tif 000010
【図９】
2019028415.tif 000011